(57)【要約】【課題】提灯の組み立て時には複数の脚に対してそれぞれ脚連結具をワンタッチで安定装着でき、分解時にはワンタッチで取り外すことができるようにする。【解決手段】脚５０の内側面側に保持部材６０を内装し、脚連結具７０に設けた装着部７２を保持部材６０に挿入して、係合凹部７３を係止凸部６４に係止するようにする。このとき、第１の付勢部６５により装着部７２の傾斜面７４を介して装着部７２を上方に押し上げる付勢力を発揮し、かつ、第２の付勢部６７により装着部７２の係合凹部７３を係止凸部６４に向かって付勢するようにする。第１の付勢部６５及び第２の付勢部６７は、リップ状をなす弾性体である。【選択図】図１
2011165470.tif 000002
【特許請求の範囲】
【請求項１】
立脚型の提灯の基台に上端部が取り付けられた複数本の脚の間を掛け渡すよう、前記複数本の脚に対応する複数の装着部を有する脚連結具の当該装着部を、前記複数本の脚に対してそれぞれ着脱自在に装着する提灯の脚連結具の取付構造であって、
前記脚連結具の装着部に設けられた凹部または凸部からなる係合部と、
前記脚に設けられて前記脚連結具の装着部の少なくとも先端部を挿入して保持する被装着部とを備え、
前記被装着部は、
前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、
前記収容部において前記係合部に対応する位置に設けられ、前記脚連結具の係合部を凹凸の関係で着脱自在に係止する凸部または凹部からなる係止部と、
前記収容部に設けられた付勢手段とを備え、
前記付勢手段は、
前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となり、
前記第２の付勢位置で前記装着部の係合部が前記被装着部の係止部に完全に凹凸の関係で係止される係止状態となるよう、前記装着部の係合部と前記被装着部の係止部との位置関係が設定され、
前記装着部を前記被装着部の開口から収容部に挿入して前記第１の付勢位置から第２の付勢位置まで変位したときに、前記第１の付勢状態にある前記付勢手段からの第１の付勢力により、前記装着部の係合部が前記被装着部の係止部に向かう方向に付勢されて前記係止部に係止されると共に、前記係合部が当該係止部に対して当該係止状態を維持する方向に継続的に付勢されることで、前記係合部と前記係止部とが前記付勢手段の前記第２の付勢力に抗してその係止状態を維持し、
前記付勢手段による前記第１の付勢力に抗して前記装着部の係合部を前記被装着部の係止部から離脱する方向に変位させて前記係止部から完全に離脱させることにより、前記付勢手段が、前記第２の付勢力により、前記装着部を前記被装着部の収容部から離脱する方向に付勢して、前記装着部を少なくとも前記第１の当接位置まで変位させる
ことを特徴とする提灯の脚連結具の取付構造。
【請求項２】
前記装着部の係合部は、前記装着部の基端側においてその幅方向または厚さ方向の一側に形成される係合凹部からなり、
前記被装着部は、前記脚とは別体で形成されて前記脚に内装される保持部材からなり、
前記保持部材の係止部は、前記係合凹部の凹部形状と対応する凸部形状をなす係止凸部からなり、前記収容部の奥行き方向において、前記装着部を前記収容部に前記第２の付勢位置まで挿入したときに前記装着部の係合凹部と合致する位置に配置され、
前記付勢手段は、前記収容部における前記開口側であって前記係止部と対向する側に設けられる第１の付勢部と、前記収容部における奥部側に設けられる第２の付勢部とからなり、
前記第１の付勢部は、前記収容部において前記第１の当接位置における前記装着部と当接する位置である非変形位置から、前記装着部と当接して前記係止部から離間する方向へと弾性変形自在なリップ状をなし、
前記第２の付勢部は、前記第２の当接位置における前記装着部と当接する位置である非変形位置から、前記装着部と当接して前記収容部の最奥部へと向かう方向へと弾性変形自在なリップ状をなすことを特徴とする請求項１記載の提灯の脚連結具の取付構造。
【請求項３】
前記装着部の係合部は、前記装着部の基端側においてその上側に形成される断面矩形状の係合凹部からなり、
前記被装着部は、前記脚とは別体で形成されて前記脚に内装される保持部材からなり、
前記保持部材の係止部は、前記係合部の凹部形状と同一の断面矩形状の凸部形状をなす係止凸部からなり、前記収容部の上側であって、かつ、前記収容部の奥行き方向において前記装着部を前記収容部に前記第２の付勢位置まで挿入したときに前記装着部の係合凹部と合致する位置に配置され、
前記付勢手段は、前記収容部における前記開口側であって下側に設けられる第１の付勢部と、前記収容部における奥部側に設けられる第２の付勢部とからなり、
前記第１の付勢部は、前記収容部において前記第１の当接位置における前記装着部と当接する位置である非変形位置から、前記装着部と当接して前記係止部から離間する下側方向へと弾性変形自在なリップ状をなし、
前記第２の付勢部は、前記第２の当接位置における前記装着部と当接する位置である非変形位置から、前記装着部と当接して前記収容部の最奥部へと向かう方向へと弾性変形自在なリップ状をなすことを特徴とする請求項１記載の提灯の脚連結具の取付構造。
【請求項４】
前記装着部は、前記係合部と反対側の面に、前記装着部の長さ方向に延びる平坦面と、先端に向かって縮径するよう当該平坦面に対して所定の傾斜角度で傾斜する傾斜面とを有し、
前記保持部材の第１の付勢部は、前記収容部の奥行方向に所定の湾曲率で湾曲して延びる湾曲板状の弾性体からなり、前記装着部の前記収容部への挿入時に当該装着部の傾斜面と当接して弾性変形されることにより、当該装着部に対して前記第１の付勢力を付与し、
前記装着部の傾斜面の傾斜角度は、前記第１の付勢部の非弾性変形状態で当該第１の付勢部の接線が前記収容部の奥行方向に対して形成する接線角度よりも小さい角度に設定されていることを特徴とする請求項２または３記載の提灯の脚取付具の取付構造。
【請求項５】
立脚型の提灯の基台に上端部が取り付けられた複数本の脚の間を掛け渡すよう、前記複数本の脚に対応する複数の装着部を有する脚連結具の当該装着部を、前記複数本の脚に対してそれぞれ着脱自在に装着する提灯の脚連結具の取付構造で使用され、前記複数本の脚の各々に設けられて前記脚連結具の装着部の少なくとも先端部を挿入して保持する保持部材であって、
前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、
前記収容部において前記係合部に対応する位置に設けられ、前記脚連結具の係合部を凹凸の関係で着脱自在に係止する凸部または凹部からなる係止部と、
前記収容部に設けられた付勢手段とを備え、
前記付勢手段は、
前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となり、
前記係止部は、前記第２の付勢位置で前記装着部の係合部が当該係止部に完全に凹凸の関係で係止される係止状態となるよう、前記装着部の係合部に対する位置関係が設定されていることを特徴とする提灯の脚連結具の取付構造の保持部材。
【請求項６】
盤状の基台と、
前記基台の上面側に下端部が着脱自在に取り付けられる支柱と、
前記支柱により支持される火袋と、
前記基台の下面側に上端部が着脱自在に取り付けられる複数本の脚と、
前記複数本の脚に対応する複数の装着部を有する脚連結具とを備え、
前記基台に上端部が取り付けられた複数本の脚の間を掛け渡すよう、前記脚連結具の装着部を前記複数本の脚に対してそれぞれ着脱自在に装着する提灯であって、
更に、
前記脚連結具の装着部に設けられた凹部または凸部からなる係合部と、
前記脚に設けられて前記脚連結具の装着部の少なくとも先端部を挿入して保持する被装着部とを備え、
前記被装着部は、
前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、
前記収容部において前記係合部に対応する位置に設けられ、前記脚連結具の係合部を凹凸の関係で着脱自在に係止する凸部または凹部からなる係止部と、
前記収容部に設けられた付勢手段とを備え、
前記付勢手段は、
前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となり、
前記第２の付勢位置で前記装着部の係合部が前記被装着部の係止部に完全に凹凸の関係で係止される係止状態となるよう、前記装着部の係合部と前記被装着部の係止部との位置関係が設定され、
前記装着部を前記被装着部の開口から収容部に挿入して前記第１の付勢位置から第２の付勢位置まで変位したときに、前記第１の付勢状態となった前記付勢手段からの第１の付勢力により、前記装着部の係合部が前記被装着部の係止部に向かう方向に付勢されて前記係止部に係止されると共に、前記係合部が当該係止部に対して当該係止状態を維持する方向に継続的に付勢されることで、前記係合部と前記係止部とが前記付勢手段の前記第２の付勢力に抗してその係止状態を維持し、
前記付勢手段による前記第１の付勢力に抗して前記装着部の係合部を前記被装着部の係止部から離脱する方向に変位させて前記係止部から完全に離脱させることにより、前記付勢手段が、前記第２の付勢力により、前記装着部を前記被装着部の収容部から離脱する方向に付勢して、前記装着部を少なくとも前記第１の当接位置まで変位させることを特徴とする提灯。
【発明の詳細な説明】
【技術分野】
【０００１】
本発明は、複数本（通常は３本）の下足と呼ばれる脚を備える立脚型または自立式の提灯（一般に「大内行灯」と呼ばれるタイプの提灯）に関し、特に、立脚型の提灯において複数本の脚の間に三角と呼ばれる脚連結具を掛け渡して連結する脚連結具の取付構造、当該脚連結具の取付構造で使用される保持部材、及び、当該脚連結具の取付構造を備えた提灯に関するものである。
【背景技術】
【０００２】
従来、この種の技術として、例えば、特許文献１に記載の技術がある。特許文献１には、ツバまたはロクロと呼ばれる円盤状の基台に対する脚の取付作業性と上足と呼ばれる支柱の取付作業性とを改善することができると共に、複数本の脚に対する脚連結具の取付作業性を改善することができる提灯が開示されている。この提灯は、取付後における脚連結具の脚からの脱落を効果的に防止することができる。具体的には、この提灯は、脚連結具において、円盤状の基台の下面に取り付けた複数本の脚の各々の上下方向中間部に対向する位置に、それぞれ、前記中間部に向かってその内部に至るまで延びる長さの突部を設けている。また、各脚の上下方向中間部には、脚連結具の突部に対応する形状をなし、突部を嵌め込んで保持自在な保持凹部と、保持凹部の下端に連続して下方に延び、かつ、下方に向かって深さが浅くなるよう傾斜する案内凹部とを形成している。
【０００３】
この提灯によれば、脚連結具の脚への取付作業性を改善することができると共に、取付後における脚連結具の脚からの脱落を効果的に防止することができる。
【先行技術文献】
【特許文献】
【０００４】
【特許文献１】特開２００５−３２７７４９号公報
【発明の概要】
【発明が解決しようとする課題】
【０００５】
ここで、本発明者らは、立脚型の提灯の脚への脚連結具の取付構造について鋭意研究を重ねた結果、全く新しい発想に基づく立脚型の提灯の脚連結具の取付構造について着想した。そして、本発明者らは、この着想を具体化すべく、各種の試行錯誤及び鋭意研究を重ねた結果、具体的な製品に適用可能な提灯の脚連結具の取付構造を発明した。
【０００６】
即ち、本発明は、立脚型の提灯において、その組み立て時には複数の脚に対してそれぞれ脚連結具をワンタッチで簡単かつ迅速に装着できると共に、脚に対する脚連結具の装着後はガタつきのない装着状態を安定的に維持することができ、一方、脚連結具の分解時には複数の脚からワンタッチで簡単かつ迅速に取り外すことができる提灯の脚連結具の取付構造、当該脚連結具の取付構造で使用される保持部材、及び、当該脚連結具の取付構造を備えた提灯の提供を課題とする。
【課題を解決するための手段】
【０００７】
請求項１に係る提灯の脚連結具の取付構造は、立脚型の提灯の基台に上端部が取り付けられた複数本の脚の間を掛け渡すよう、前記複数本の脚に対応する複数の装着部を有する脚連結具の当該装着部を、前記複数本の脚に対してそれぞれ着脱自在に装着する提灯の脚連結具の取付構造である。提灯の脚連結具の取付構造は、前記脚連結具の装着部に設けられた凹部または凸部からなる係合部と、前記脚に設けられて前記脚連結具の装着部の少なくとも先端部を挿入して保持する被装着部とを備える。前記被装着部は、前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、前記収容部において前記係合部に対応する位置に設けられ、前記脚連結具の係合部を凹凸の関係で着脱自在に係止する凸部または凹部からなる係止部と、前記収容部に設けられた付勢手段とを備える。前記付勢手段は、前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となる。また、前記第２の付勢位置で前記装着部の係合部が前記被装着部の係止部に完全に凹凸の関係で係止される係止状態となるよう、前記装着部の係合部と前記被装着部の係止部との位置関係が設定されている。また、前記装着部を前記被装着部の開口から収容部に挿入して前記第１の付勢位置から第２の付勢位置まで変位したときに、前記第１の付勢状態にある前記付勢手段からの第１の付勢力により、前記装着部の係合部が前記被装着部の係止部に向かう方向に付勢されて前記係止部に係止されると共に、前記係合部が当該係止部に対して当該係止状態を維持する方向に継続的に付勢されることで、前記係合部と前記係止部とが前記付勢手段の前記第２の付勢力に抗してその係止状態を維持する。そして、前記付勢手段による前記第１の付勢力に抗して前記装着部の係合部を前記被装着部の係止部から離脱する方向に変位させて前記係止部から完全に離脱させることにより、前記付勢手段が、前記第２の付勢力により、前記装着部を前記被装着部の収容部から離脱する方向に付勢して、前記装着部を少なくとも前記第１の当接位置まで変位させる。
【０００８】
請求項２に係る提灯の脚連結具の取付構造では、請求項１の構成において、前記装着部の係合部は、前記装着部の基端側においてその幅方向または厚さ方向の一側に形成される係合凹部からなる。前記被装着部は、前記脚とは別体で形成されて前記脚に内装される保持部材からなる。前記保持部材の係止部は、前記係合凹部の凹部形状と対応する凸部形状をなす係止凸部からなり、前記収容部の奥行き方向において、前記装着部を前記収容部に前記第２の付勢位置まで挿入したときに前記装着部の係合凹部と合致する位置に配置される。前記付勢手段は、前記収容部における前記開口側であって前記係止部と対向する側に設けられる第１の付勢部と、前記収容部における奥部側に設けられる第２の付勢部とからなる。前記第１の付勢部は、前記収容部において前記第１の当接位置における前記装着部と当接する位置である非変形位置から、前記装着部と当接して前記係止部から離間する方向へと弾性変形自在なリップ状をなす。前記第２の付勢部は、前記第２の当接位置における前記装着部と当接する位置である非変形位置から、前記装着部と当接して前記収容部の最奥部へと向かう方向へと弾性変形自在なリップ状をなす。
【０００９】
請求項３に係る提灯の脚連結具の取付構造では、請求項１の構成において、前記装着部の係合部は、前記装着部の基端側においてその上側に形成される断面矩形状の係合凹部からなる。前記被装着部は、前記脚とは別体で形成されて前記脚に内装される保持部材からなる。前記保持部材の係止部は、前記係合部の凹部形状と同一の断面矩形状の凸部形状をなす係止凸部からなり、前記収容部の上側であって、かつ、前記収容部の奥行き方向において前記装着部を前記収容部に前記第２の付勢位置まで挿入したときに前記装着部の係合凹部と合致する位置に配置される。前記付勢手段は、前記収容部における前記開口側であって下側に設けられる第１の付勢部と、前記収容部における奥部側に設けられる第２の付勢部とからなる。前記第１の付勢部は、前記収容部において前記第１の当接位置における前記装着部と当接する位置である非変形位置から、前記装着部と当接して前記係止部から離間する下側方向へと弾性変形自在なリップ状をなす。前記第２の付勢部は、前記第２の当接位置における前記装着部と当接する位置である非変形位置から、前記装着部と当接して前記収容部の最奥部へと向かう方向へと弾性変形自在なリップ状をなす。
【００１０】
請求項４に係る提灯の脚連結具の取付構造では、請求項２または３の構成において、前記装着部は、前記係合部と反対側の面に、前記装着部の長さ方向に延びる平坦面と、先端に向かって縮径するよう当該平坦面に対して所定の傾斜角度で傾斜する傾斜面とを有している。また、前記保持部材の第１の付勢部は、前記収容部の奥行方向に所定の湾曲率で湾曲して延びる湾曲板状の弾性体からなり、前記装着部の前記収容部への挿入時に当該装着部の傾斜面と当接して弾性変形されることにより、当該装着部に対して前記第１の付勢力を付与する。更に、前記装着部の傾斜面の傾斜角度は、前記第１の付勢部の非弾性変形状態で当該第１の付勢部の接線が前記収容部の奥行方向に対して形成する接線角度よりも小さい角度に設定されている。
【００１１】
請求項５に係る提灯の脚連結具の取付構造の保持部材は、立脚型の提灯の基台に上端部が取り付けられた複数本の脚の間を掛け渡すよう、前記複数本の脚に対応する複数の装着部を有する脚連結具の当該装着部を、前記複数本の脚に対してそれぞれ着脱自在に装着する提灯の脚連結具の取付構造で使用され、前記複数本の脚の各々に設けられて前記脚連結具の装着部の少なくとも先端部を挿入して保持する保持部材である。保持部材は、前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、前記収容部において前記係合部に対応する位置に設けられ、前記脚連結具の係合部を凹凸の関係で着脱自在に係止する凸部または凹部からなる係止部と、前記収容部に設けられた付勢手段とを備えている。また、前記付勢手段は、前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となる。そして、前記係止部は、前記第２の付勢位置で前記装着部の係合部が当該係止部に完全に凹凸の関係で係止される係止状態となるよう、前記装着部の係合部に対する位置関係が設定されている。
【００１２】
請求項６に係る提灯は、盤状の基台と、前記基台の上面側に下端部が着脱自在に取り付けられる支柱と、前記支柱により支持される火袋と、前記基台の下面側に上端部が着脱自在に取り付けられる複数本の脚と、前記複数本の脚に対応する複数の装着部を有する脚連結具とを備え、前記基台に上端部が取り付けられた複数本の脚の間を掛け渡すよう、前記脚連結具の装着部を前記複数本の脚に対してそれぞれ着脱自在に装着する提灯である。提灯は、更に、前記脚連結具の装着部に設けられた凹部または凸部からなる係合部と、前記脚に設けられて前記脚連結具の装着部の少なくとも先端部を挿入して保持する被装着部とを備えている。前記被装着部は、前記脚の内側面で開放する開口を有すると共に、当該開口から前記脚の内部に向かって延設された内部空間を有し、前記脚連結具の各装着部のうち少なくとも前記係合部に相当する部分を収容自在な収容部と、前記収容部において前記係合部に対応する位置に設けられ、前記脚連結具の係合部を凹凸の関係で着脱自在に係止する凸部または凹部からなる係止部と、前記収容部に設けられた付勢手段とを備えている。前記付勢手段は、前記脚連結具の装着部の先端側の一部を前記収容部に挿入した第１の当接位置で当該装着部の先端側の一部に当接する第１の当接状態となり、前記装着部を前記第１の当接位置から更に前記収容部の奥側に挿入した第１の付勢位置で前記装着部を少なくとも前記被装着部の係止部に向かう方向に弾性的に付勢する第１の付勢力を発揮する第１の付勢状態となり、前記装着部を前記第１の付勢位置から更に前記収容部の奥側に挿入した第２の付勢位置で、前記第１の付勢状態を維持する一方で前記装着部を前記収容部から抜け出る方向に弾性的に付勢する第２の付勢力を発揮する第２の付勢状態となる。また、前記第２の付勢位置で前記装着部の係合部が前記被装着部の係止部に完全に凹凸の関係で係止される係止状態となるよう、前記装着部の係合部と前記被装着部の係止部との位置関係が設定されている。また、前記装着部を前記被装着部の開口から収容部に挿入して前記第１の付勢位置から第２の付勢位置まで変位したときに、前記第１の付勢状態となった前記付勢手段からの第１の付勢力により、前記装着部の係合部が前記被装着部の係止部に向かう方向に付勢されて前記係止部に係止されると共に、前記係合部が当該係止部に対して当該係止状態を維持する方向に継続的に付勢されることで、前記係合部と前記係止部とが前記付勢手段の前記第２の付勢力に抗してその係止状態を維持する。そして、前記付勢手段による前記第１の付勢力に抗して前記装着部の係合部を前記被装着部の係止部から離脱する方向に変位させて前記係止部から完全に離脱させることにより、前記付勢手段が、前記第２の付勢力により、前記装着部を前記被装着部の収容部から離脱する方向に付勢して、前記装着部を少なくとも前記第１の当接位置まで変位させる。
【発明の効果】
【００１３】
請求項１に係る提灯の脚連結具の取付構造によれば、立脚型の提灯に適用した場合に、その組み立て時には複数の脚に対してそれぞれ脚連結具をワンタッチで簡単かつ迅速に装着できると共に、脚に対する脚連結具の装着後はガタつきのない装着状態を安定的に維持することができ、一方、脚連結具の分解時には複数の脚からワンタッチで簡単かつ迅速に取り外すことができるという特有の効果を発揮する。
【００１４】
請求項２に係る提灯の脚連結具の取付構造は、請求項１の効果に加え、特に、付勢手段を、第１の付勢力を発揮する第１の付勢部と第２の付勢力を発揮する第２の付勢部とにより構成したため、装着部の保持部材への装着動作及び取り外し動作をより円滑かつ迅速に行い、かつ、装着状態をより安定して維持することができる。
【００１５】
請求項３に係る提灯の脚連結具の取付構造は、請求項１の効果に加え、特に、付勢手段を、第１の付勢力を発揮する第１の付勢部と第２の付勢力を発揮する第２の付勢部とにより構成したため、装着部の保持部材への装着動作及び取り外し動作をより円滑かつ迅速に行い、かつ、装着状態をより安定して維持することができる。また、装着部の係合凹部及び保持部材の係止凸部を上側に設けたため、特に、装着部の取り外し時に、装着部を下側に押圧することで、より簡単かつ迅速に保持部材から取り外すことができる。
【００１６】
請求項４に係る提灯の脚連結具の取付構造は、請求項２または３の効果に加え、装着部に傾斜面を設けたため、装着部の保持部材への挿入時に、傾斜面が案内面として機能して装着部の挿入動作を促進すると共に、第１の付勢部が傾斜面に対して上向きベクトル以外に斜め方向のベクトル（後ろ向きベクトル）をも発生する。
【００１７】
請求項５に係る提灯の脚連結具の取付構造の保持部材は、立脚型の提灯の脚に適用した場合に、提灯の組み立て時には複数の脚に対してそれぞれ脚連結具をワンタッチで簡単かつ迅速に装着できると共に、脚に対する脚連結具の装着後はガタつきのない装着状態を安定的に維持することができ、一方、脚連結具の分解時には複数の脚からワンタッチで簡単かつ迅速に取り外すことができるという特有の作用効果を発揮する。
【００１８】
請求項６に係る提灯は、立脚型の提灯に適用した場合に、その組み立て時には複数の脚に対してそれぞれ脚連結具をワンタッチで簡単かつ迅速に装着できると共に、脚に対する脚連結具の装着後はガタつきのない装着状態を安定的に維持することができ、一方、脚連結具の分解時には複数の脚からワンタッチで簡単かつ迅速に取り外すことができるという特有の作用効果を発揮する。
【図面の簡単な説明】
【００１９】
【図１】図１は本発明の実施の形態１に係る脚連結具により脚を連結した提灯の全体構成を示す正面図である。
【図２】図２は本発明の実施の形態１に係る脚連結具の連結構造において脚連結具の装着部を脚の被装着部としての保持部材に挿着した状態を示す平面図であり、脚の被装着部部分を断面にて示す。
【図３】図３は本発明の実施の形態１に係る脚連結具の平面図である。
【図４】図４は本発明の実施の形態１に係る脚連結具の底面図である。
【図５】図５は本発明の実施の形態１に係る脚連結具の正面図である。
【図６】図６は本発明の実施の形態１に係る脚連結具の背面図である。
【図７】図７は本発明の実施の形態１に係る脚連結具の側面図である。
【図８】図８は本発明の実施の形態１に係る脚連結具の連結構造において脚に内装される保持部材を示す斜視図である。
【図９】図９は本発明の実施の形態１に係る保持部材を示し、（ａ）は正面図、（ｂ）は背面図、（ｃ）は平面図、（ｄ）は底面図である。
【図１０】図１０は本発明の実施の形態１に係る脚連結具の装着部を脚の保持部材に装着する直前の状態を示す要部斜視図である。
【図１１】図１１は本発明の実施の形態１に係る脚連結具の装着部を脚の保持部材に挿入する途中の状態を示す要部斜視図である。
【図１２】図１２は本発明の実施の形態１に係る脚連結具の装着部を脚の保持部材に装着した状態を示す側面図である。
【図１３】図１３は本発明の実施の形態１に係る脚連結具の装着部を脚の保持部材に第１の当接位置まで挿入した状態を示す側面図である。
【図１４】図１４は本発明の実施の形態１に係る脚連結具の装着部を脚の保持部材に図１４の第１の当接位置から更に奥側の第２の当接位置まで挿入した状態（第１の付勢状態）を、装着部に加わる力（白抜き矢印）と共に示す側面図である。
【図１５】図１５は本発明の実施の形態１に係る脚連結具の装着部を脚の保持部材に図１４の第２の当接位置から更に奥側の位置まで挿入した状態（第２の付勢状態）を、装着部に加わる力（白抜き矢印）と共に示す側面図である。
【図１６】図１６は本発明の実施の形態１に係る脚連結具の装着部の係合部が、第２の付勢状態にある保持部材の第１及び第２の付勢部による第２の付勢力によって、保持部材の係止部に係止された状態を、装着部に加わる力（白抜き矢印）と共に示す側面図である。
【図１７】図１７は本発明の実施の形態１に係る脚連結具の装着部を脚の保持部材に装着した状態から取り外すために図１５に対応する位置まで下方へと変位させた状態（第２の付勢状態）を、装着部に加わる力（白抜き矢印）と共に示す側面図である。
【図１８】図１８は本発明の実施の形態１に係る脚連結具の装着部を脚の保持部材に対する図１８の状態から図１４に対応する位置（第２の当接位置）まで後方へと変位させた状態（第１の付勢状態）を、装着部に加わる力（白抜き矢印）と共に示す側面図である。
【図１９】図１９は本発明の実施の形態２に係る脚連結具の装着部を脚の保持部材に装着した状態を示す側面図である。
【図２０】図２０は本発明の実施の形態３に係る脚連結具の連結構造の保持部材を示す側面図である。
【図２１】図２１は本発明の実施の形態３に係る脚連結具の連結構造の保持部材を示し、（ａ）は正面図、（ｂ）は背面図、（ｃ）は平面図、（ｄ）は底面図である。
【図２２】図２２は本発明の実施の形態４に係る脚連結具の第１の別例の脚連結具を示す平面図である。
【図２３】図２３は本発明の実施の形態４に係る脚連結具の更に別例の脚連結具を示し、（ａ）は第２の別例の脚連結具の装着部を示す要部側面図、（ｂ）は第３の別例の脚連結具の装着部を示す要部側面図である。
【図２４】図２４は本発明の実施の形態４に係る脚連結具の更に別例の脚連結具を示し、（ａ）は第４の別例の脚連結具の装着部を保持部材に装着した状態を示す要部側面図、（ｂ）は第５の別例の脚連結具の装着部を保持部材に装着した状態を示す要部側面図である。
【図２５】図２５は本発明の実施の形態５に係る脚連結具の連結構造の保持部材の別例を示し、（ａ）は第１の別例の保持部材に脚連結具の装着部を装着した状態を示す側面図、（ｂ）は第２の別例の保持部材に脚連結具の装着部を装着した状態を示す側面図である。
【図２６】図２６は本発明の実施の形態６に係る脚連結具の連結構造を示し、当該脚連結具の連結構造において装着部を保持部材に装着する前の状態示す側面図である。
【発明を実施するための形態】
【００２０】
以下、本発明を実施するための形態（以下、実施の形態という）を説明する。なお、各実施の形態を通じ、同一の部材、要素または部分には同一の符号を付して、その説明を省略する。
【００２１】
実施の形態１
実施の形態１に係る提灯の脚連結具の連結構造は、図１に示すように、大内行灯と呼ばれる立脚型の提灯１０の脚の連結のために適用される。詳細には、提灯１０は、円盤状の基台２０の上面側に２本の支柱３０の下端部を着脱自在に嵌合等によって取付及び固定している。また、２本の支柱３０の上端間には雲手または手と呼ばれる柱連結具３５が掛け渡して着脱自在に固定され、両支柱３０の上端間を連結している。そして、支柱３０の上端の柱連結具３５より下方の位置において、火袋４０が支柱３０により支持されて展開されるようになっている。なお、図１では、内部構造を示すため、火袋４０は仮想線で示している。一方、基台２０の下面側には、３本の脚５０の上端部が嵌合等によって取付及び固定されている。各脚５０は、上端から下端に向かって外方に湾曲状に傾斜して広がる形状（略Ｓ字状）をなしている。そして、基台２０に上端部が取り付けられた複数本の脚５０の間を掛け渡すよう、脚連結具７０の装着部７２が複数本の脚５０に対してそれぞれ着脱自在に装着される。また、図２に示すように、３本の脚５０における前記脚連結具７０の連結位置、即ち、脚連結具７０の装着部７２の装着位置には、それぞれ、被装着部としての保持部材６０が内装される。保持部材６０は、脚５０の長さ方向の中間部に設けられる。前記脚５０に設けた保持部材６０と脚連結具７０の装着部７２とにより、実施の形態１に係る提灯の脚連結具の取付構造が構成されている。なお、前記基台２０、支柱３０、柱連結具３５、及び、脚５０は、通常、木製とされるが、その他の材料により形成することも可能である。
【００２２】
［脚連結具］
図３及び図４に示すように、三角と呼ばれる脚連結具７０は、３本の脚５０と同一本数（３本）の棒状の連結部７１の基端側の部分（長さ方向における半分以上の部分）を、略三角形状となるよう互いに連結固着して構成されている。各連結部７１の先端側の所定部分、即ち、脚５０の保持部材６０に挿入されて装着される部分により、装着部７２が構成されている。図５〜図７に示すように、脚連結具７０の連結部７１は、長さ方向に若干湾曲して延びると共に、先端側（装着部７２側）に向かって若干縮径する断面矩形状の棒状または板状であり、装着部７２も断面矩形状となる。断面矩形状の装着部７２の上面には、その先端から所定間隔を置いた位置に、係合部としての係合凹部７３が一体形成されている。係合凹部７３は、上方に開口する断面矩形状の凹部であり、連結部７１の長さ方向（即ち、装着部７２の長さ方向）に所定寸法だけ延びるよう形成されている。即ち、係合凹部７３の長さ（装着部７２の長さ方向における寸法）は予め設定した所定の寸法とされている。更に、装着部７２の係合凹部７３と対向する部位、即ち、下面には、所定角度の傾斜面７４が形成され、装着部７２が先端に向かって傾斜面７４の角度で縮径している。装着部７２の傾斜面７４は、装着部７２の先端面の下端から、係合凹部７３の先端側の縁部に対応する位置まで延設されている。なお、脚連結具７０は、通常、木製とされ、前記連結部７１、装着部７２、係合凹部７３及び傾斜面７４を有する形状に一体形成されるが、その他の材料により形成することも可能である。また、装着部７２のみを合成樹脂材料で一体成形する等、他の材料で形成して連結部７１の先端に固着する等、他の構成とすることも可能である。
【００２３】
［保持部材］
図８及び図９に示すように、保持部材６０は、上下方向に延びる所定長さの平板状をなす基部６１と、基部６１の上端から直交して延びる所定長さの平板状をなす上側部６２と、基部６１の下端から前記上側部６２と同一方向に（平行となるよう）直交して延びる所定長さの平板状をなす下側部６３とを備えている。上側部６２の長さは、下側部６３の長さより所定寸法だけ（若干の寸法だけ）長く設定されている。基部６１の中央位置（上下左右の中央位置）には、円形の挿通孔６１ａが形成されている。前記基部６１、上側部６２及び下側部６３が、実施の形態１の保持部材６０の収容部を構成し、それらの内側面により囲まれる空間が、実施の形態１の保持部材６０の収容空間を形成している。また、保持部材６０は、上側部６２の先端から下方に屈曲して延びる係止凸部６４を備えている。係止凸部６４は、先端（下端）に向かって若干縮径する短い平板状をなしている。そして、係止凸部６４の内側面は、上側部６２の先端部の下面と直交していると共に、係止凸部６４の外側面は、上側部６２の先端部の上面から若干内方（前記収容部の奥行方向奥側に向かう方向）へと傾斜して延びている。また、係止凸部６４の厚み（前後方向乃至奥行方向の寸法）、特に、下端面の厚みは、挿入時の遊びを持たせる等の目的で、装着部７２の係合凹部７３の奥行（装着部７２の長さ方向の寸法）よりも所定寸法だけ小さく設定されているが、これらを同一寸法とすることもできる。更に、係止凸部６４の高さ（突出寸法乃至上下寸法）は、挿入時の遊びを持たせる等の目的で、装着部７２の係合凹部７３の深さ（上下寸法）よりも所定寸法だけ小さく設定されているが、これらを同一寸法とすることもできる。更にまた、係止凸部６４の幅（左右寸法）は、装着部７２の係合凹部７３の幅（左右寸法）と同一寸法に設定されているが、挿入時の遊びを持たせる等の目的で、係止凸部６４の幅を係合凹部７３の幅よりも若干大きく設定することもできる。
【００２４】
保持部材６０は、下側部６３の先端から上方へと延びた後に後方へと延びる湾曲板状の第１の付勢部６５を備えている。詳細には、第１の付勢部６５は、断面四分円弧状の湾曲板状をなすリップ状の弾性体からなり、前記収容部の奥行方向に所定の湾曲率で湾曲して延びている。また、第１の付勢部６５の先端部は、下方に屈曲されて屈曲部６６となっている。第１の付勢部６５の屈曲部６６は、基部６１と略平行に延びている。更に、保持部材６０は、上側部６２の下面の基端であって基部６１との境界部または交差部から下方に傾斜して延びる第２の付勢部６７を備えている。詳細には、第２の付勢部６７は、所定長さの平板状をなすリップ状の弾性体からなり、前記収容部の下方かつ外方（前記奥行方向と反対方向）に傾斜して延びている。第１の付勢部６５及び第２の付勢部６７は、実施の形態１の付勢手段を構成する。第１の付勢部６５の先端（屈曲部６６の部分）と第２の付勢部６７の先端部とは、収容部の奥行方向においてほぼ同一の位置に配置されている。正確には、第１の付勢部６５の屈曲部６６が第２の付勢部６７の先端部と重なるよう、第１の付勢部６５及び第２の付勢部６７の寸法（奥行方向の長さ）及び配置状態が設定されている。また、第１の付勢部６５の先端または上端と第２の付勢部６７の下端との間には、所定の間隙が設けられている。
【００２５】
ここで、保持部材６０のうち、少なくとも、第１の付勢部６５及び第２の付勢部６７は、それぞれ、弾性材料により形成されて所定の弾性力を有し、弾性変形により所定の付勢力（第１の付勢力及び第２の付勢力）を発揮するようになっている。実施の形態１では、保持部材６０は、基部６１、上側部６２、下側部６３、係止凸部６４、第１の付勢部６５及び第２の付勢部６７の全体を所定の弾性を有する合成樹脂材料により一体成形し、第１の付勢部６５及び第２の付勢部６７に弾性力を付与している。なお、第１の付勢部６５及び第２の付勢部６７の弾性力または第１の付勢力及び第２の付勢力は、成形材料（即ち、成形材料の弾性の大小）を選定することに加え、第１の付勢部６５及び第２の付勢部６７のそれぞれの厚み（及び長さと幅）を増減変更することでも、その強弱を変更することができる。
【００２６】
［脚の収容凹部と保持部材の関係］
図１０〜図１２に示すように、脚５０には、それぞれ、その長さ方向中間部にある前記保持部材６０の装着部位に、保持部材６０に対応する形状の収容凹部５５が形成されている。脚５０は、長さ方向（上下方向）にある程度湾曲して延びると共に、下端側に向かってある程度拡径する断面矩形状の板状である。そして、収容凹部５５は、かかる板状の脚５０の内側面で開口するように形成されている。また、収容凹部５５は、３本の脚５０のそれぞれの同一高さ位置に同一寸法となるよう形成されている。更に、収容凹部５５は、保持部材６０と同一の寸法（同一の高さ及び幅及び奥行き）を有している。したがって、脚５０の収容凹部５５は、保持部材６０の外形である縦長長方形状と同一の断面形状（縦長長方形状）となっている。なお、実施の形態１では、脚５０には、前記保持部材６０の外形である縦長長方形状と同一の断面形状の収容凹部５５の上端側及び下端側には、それぞれ、断面半円形状の補助部材５６が、それぞれの平坦面（直径方向に延びる面）が対向するよう、固着されている。即ち、脚５には、前記補助部材５６を含めた断面形状、即ち、収容凹部５５の縦長長方形状の断面形状の上下にそれぞれ補助部材５６の断面半円形状を連続した略トラック形状または略長円形状の断面形状の凹部５７が、脚５０の内面で開口するように形成されている。そして、その凹部５７の上下両端に、それぞれ、補助部材５６の半円周面を固着し、その後、上下の補助部材５６の平坦面間に形成される断面矩形状の収容凹部５５に、保持部材６０を挿入して固着する。なお、補助部材５６は、保持部材６０の取付や固着作業を容易化する等の目的で使用されるため、省略してもよい。即ち、脚５０には、収容凹部５５のみを形成して、その収容凹部５５に保持部材６０を挿入して固着してもよい。そして、保持部材６０は、脚５０の収容凹部５５内に完全に挿入及び収容して装着されると共に、その基部６１の挿通孔６１ａにビス等の締結具を挿通して、脚５０の収容凹部５５の（基部６１との）対向面に進入させて固着することにより、脚５０の収容凹部５５内の定位置に固定される。なお、保持部材６０は、接着や圧入等の締結具以外の手段により脚５０の収容凹部５５に固定することもでき、この場合、締結具や基部６１の挿通孔６１ａは省略することができる。
【００２７】
［装着部と保持部材の関係］
実施の形態１は、上記のように、立脚型の提灯１０の基台２０に上端部が取り付けられた複数本の脚５０の長手方向の中間部の間を掛け渡すよう、前記複数本の脚５０に対応する複数（脚５０と同一数）の装着部７２を有する脚連結具７０の当該装着部７２（棒状の連結部７１の先端部の挿入部分により構成される係合凹部７３を有する部分）を、前記複数本の脚５０に対してそれぞれ着脱自在に装着する提灯の脚連結具の取付構造に具体化される。ここで、脚連結具７０の装着部７２に一体形成して設けられた上向きの（上方に開口する）凹部からなる係合凹部７３は、実施の形態１の係合部を構成している。また、脚５０の長さ方向の中間部に全体を内装して設けられた保持部材６０は、脚連結具７０の装着部７２の少なくとも先端部を挿入して保持する被装着部を構成している。そして、前記被装着部としての保持部材６０において、前記収容部は、前記係止凸部６４の下端と第１の付勢部６５の基端との間に、脚５０の内側面（即ち、基台２０への組付時における複数本の脚５０の対向面）で開放する開口を形成している。即ち、基台２０への組付時の複数本の脚５０は、その取付位置である上端が基台２０の円形と同心状となる（基台２０の外周面の円形より小径の仮想上の）円形上に配置されると共に、保持部材６０を内装する中間部も、基台２０の円形と同心状となる（基台２０の外周面の円形より大径の仮想上の）円形上に配置される。したがって、脚５０の収容凹部５５及び保持部材６０の収容部は、当該円形の中心に向かうよう、或いは、当該円形の中心と脚の軸心とを結ぶ当該円形の放射方向に延設されて、脚５０の内側面で開口している。そして、保持部材６０の収容部は、当該開口から脚５０の内部に向かって延設された内部空間としての収容空間を有し、脚連結具７０の装着部７２を挿入して収容自在である。また、保持部材６０の係止凸部６４は、前記収容部において脚連結具７０の係合凹部７３に対応する位置（正確には、脚連結具７０の装着部７２を保持部材６０の収容部に完全に収容したときの係合凹部７３に対向する位置）に設けられている。そして、保持部材６０の係止凸部６４は、脚連結具７０の係合凹部７３を凹凸の関係で着脱自在に係止するようになっている。
【００２８】
これにより、保持部材６０の係止凸部６４が、脚連結具７０の係合凹部７３の係止を介して、脚連結具７０の先端部である装着部７２を脚５０の収容凹部５５または保持部材６０の収容部からの引き抜き方向、即ち、保持部材６０の収容部から複数本の脚５０が配置される前記円形の放射方向に沿って中心に向かう方向（これは、脚連結具７０の装着部７２の長さ方向乃至軸方向ともほぼ一致する）への離脱不能として抜止めするようになっている。また、装着部７２の傾斜面７４の傾斜角度（装着部７２の下面に対する交差角度）は、保持部材６０の第１の付勢部６５の非弾性変形状態（装着部７２による外力により変形されていない原位置の状態）で、当該湾曲状の第１の付勢部６５の接線が、下側部６３に対して形成する角度（以下、「接線角度」という。）より小さく設定されている。なお、下側部６３は保持部材６０の収容部の奥行方向と平行であるため、結果的に、接線角度は、第１の付勢部６５の接線が収容部の奥行方向に対して形成する角度と定義することもできる。具体的には、装着部７２の傾斜面７４の傾斜角度は、約１０度〜約３０度の範囲で設定することができ、これに対応して、第１の付勢部６５の接線角度は、好ましくは傾斜面の傾斜角度よりも約１５度以上大きい角度、即ち、約２５度〜約６０度の範囲で設定することができる。或いは、原位置での第１の付勢部６５の接線角度は、装着部７２の傾斜面７４の傾斜角度の約２倍の角度（約２０度〜約６０度）とすることもできる。なお、第１の付勢部６５の接線角度は、非弾性変形状態での第１の付勢部６５の下側部６３に対する後方（基部６１に向かう方向）への突出角度と湾曲率とに応じて変化する。
【００２９】
［作用及び効果］
図１０〜図１１及び図１３〜図１８にしたがって、実施の形態１の提灯の組み立て方法及び脚連結具の取付構造の作用及び効果について説明する。
まず、基台２０の下面側に設けた３個の脚装着部（図示略）に３本の脚５０の上端の取付部をそれぞれ取り付けて固定する。この脚装着部は、図示はしないが、脚５０の上端部に設けた嵌合自在な凸部形状の取付部に対応する凹部形状を有するものである。なお、基台２０への脚５０の取付と共に（通常は脚５０の取付後）、基台２０の上面側には、通常の方法により、２本の支柱３０が取り付けられると共に、支柱３０間が柱連結具３５により連結され、火袋４０が支柱に外装して取り付けられる。前記基台２０への脚５０の取付及び固定により、３本の脚５０の内面側において、それぞれ脚５０に内装した保持部材６０の開口が、３本の脚５０が配置される上記（仮想的な）円形の中心に向かって対面する。この状態で、脚連結具７０の３個の装着部７２を、それぞれ、３本の脚５０の保持部材６０に装着する。詳細には、まず、いずれか一つの装着部７２をいずれか１本の脚５０の保持部材６０に挿入して装着し、次に、次の一つの装着部７２を次のいずれか１本の脚５０の保持部材６０に挿入して装着し、最後に、残りの一つの装着部７２を残りの１本の脚５０の保持部材６０に挿入して装着する。このとき、３本の脚５０の内面間の間隔は脚連結具７０の装着部７２間の間隔より小さいため（正確には、各脚５０の内面と上記仮想的な円形の中心との間の間隔は脚連結具７０の装着部７２の先端と脚連結具７０の中心との間の間隔より装着部７２の寸法だけ小さいため）、装着部７２の寸法だけ、脚５０を外方に広げて、装着部７２を保持部材６０に挿入していく。
【００３０】
以下、装着部７２を保持部材６０に挿入して装着したり引き抜いて取り外したりするときの、各部材乃至各部分の関係と相互の作用効果についてより詳細に説明する。
脚５０に脚連結具７０を取り付ける場合、図１０の状態から図１１の状態へと、装着部７２を保持部材６０の開口に挿入していくと、まず、脚連結具７０の装着部７２の先端側の一部が、保持部材６０の収容部に挿入されて、第１の当接位置（第１の位置）となる。このとき、図１３に示すように、当該装着部７２の先端側の一部（係合凹部７３より先端側の部分にほぼ相当する）にある傾斜面７４と装着部７２の先端面との交差点である角部（コーナー部）が、保持部材６０の第１の付勢部６５の上面の略中間位置に当接する。即ち、装着部７２の先端部の下側の傾斜面７４に保持部材６０の第１の付勢部６５が下側から当接する第１の当接状態となる。また、このとき、装着部７２の先端面は、保持部材６０の開口位置（係止凸部６４の内面の位置）から第１の距離Ｄ１だけ収容部の奥行方向に挿入された位置に配置される。この第１の当接状態では、第１の付勢部６５は全く弾性変形せずに非弾性変形状態を維持している。
【００３１】
次に、図１３の状態から装着部７２を更に保持部材６０の収容部の奥側（奥行方向）に挿入すると、図１４に示すように、装着部７２の先端側の一部が、保持部材６０の収容部の更に奥側に挿入されて、第２の当接位置（第２の位置）となる。このとき、図１４に示すように、当該装着部７２の先端面の上側（上下中間位置よりも若干上側の位置）が、保持部材６０の第２の付勢部６７の下端に当接する。即ち、装着部７２の先端面に保持部材６０の第２の付勢部６７が奥側から当接する第２の当接状態となる。また、このとき、装着部７２の先端面は、前記第１の位置から更に第２の距離Ｄ２だけ収容部の奥行方向に挿入された位置、即ち、保持部材６０の開口位置から第１の距離Ｄ１と第２の距離Ｄ２を合計した距離Ｄ３だけ収容部の奥行方向に挿入された位置に配置される。この第２の当接状態では、第２の付勢部６７は全く弾性変形せずに非弾性変形状態を維持している。なお、第１の当接位置から第２の当接位置まで装着部７２を前進するときに、装着部７２の傾斜面７４は、第１の付勢部６５の湾曲面に当接して、装着部７２の前進動作を円滑にする案内面としても機能する。
【００３２】
一方、図１３の第１の当接状態から図１４の第２の当接状態までの位置範囲、即ち、装着部７２を第１の当接位置から更に保持部材６０の収容部の奥側の第２の第２の当接位置に挿入するまでの範囲では、装着部７２は第１の付勢位置（正確には、第１の付勢位置範囲）となる。このとき、第１の付勢部６５が、装着部７２の先端側部分の当接部分を少なくとも保持部材６０の係止凸部６４に向かう方向に弾性的に付勢する第１の付勢力を発揮する第１の付勢状態となる。具体的には、第１の付勢部６５は、図１４中に白抜き矢印で示すように、装着部７２の傾斜面７４に対して、上方に向かう付勢力（上向き矢印の上方向ベクトル）を発生する。このとき、装着部７２は、係合凹部７３よりも先端側の部分の上面（平坦面）が保持部材６０の係止凸部６４に当接して上方への移動を阻止されている。したがって、第１の付勢部６５の上方向ベクトルは係止凸部６４による抗力と均衡し、装着部７２は上方に移動することはない（挿入時の高さ位置を維持する）。一方、第１の付勢部６５は、装着部７２の傾斜面７４に対して、後方（奥行方向と反対方向、即ち、抜け出る方向）に向かう付勢力（後向き矢印の後方向ベクトル）を発生するが、このとき、装着部７２には使用者乃至作業者の挿入方向の押圧力が後方向ベクトル以上の大きさであるため、装着部７２は後方に移動することはない（挿入方向の押圧力により前進を継続する）。このように、第１の付勢状態で、第１の付勢部６５は、装着部７２を上方に付勢する上方向ベクトルと後方（離脱方向）に付勢する後方向ベクトルとに分割できる後斜め方向ベクトル（装着部７２に対する後ろ斜め方向の付勢力）を発生する。
【００３３】
前記装着部７２を第１の付勢位置範囲の最終位置である第２の当接位置から、更に保持部材６０の収容部の奥側に挿入した第２の付勢位置（正確には、第２の当接位置から最奥部位置乃至最押圧位置までの位置範囲である第２の付勢位置範囲）では、第１の付勢部６５が、前記第１の付勢状態を維持する一方で、第２の付勢部６７が、装着部７２の先端部を保持部材６０の収容部から前記開口を経て抜け出る方向乃至離脱方向に弾性的に付勢する第２の付勢力（後方のベクトル）を発揮する第２の付勢状態となる。このとき、図１５中の白抜き矢印に示すように、第２の付勢部６７は、装着部７２の先端の平坦面に対して、後方に向かう第２の付勢力（後方向ベクトル）を発生するが、この状態では、装着部７２には使用者乃至作業者の挿入方向の押圧力が後方向ベクトル以上の大きさであるため、装着部７２は後方に移動することはない（挿入方向の押圧力によりその状態位置を継続する）。
【００３４】
ここで、第２の付勢位置の最終位置である図１５の位置（装着部７２の最挿入位置）では、装着部７２の係合凹部７３が保持部材６０の係止凸部６４に完全に凹凸の関係で係止される係止状態となるよう、装着部７２の係合凹部７３と保持部材６０の係止凸部６４との位置関係、すなわち、装着部７２の長さ方向における装着部先端からの係合凹部７３の位置と、保持部材６０の収容部の奥行き方向における最奥部位置からの係止凸部６４の位置が設定されている。したがって、装着部７２を保持部材６０の開口から収容部に挿入して、前記第１の当接位置から第１の付勢位置範囲を経て第２の当接位置となった後、第２の付勢位置範囲の最終位置（図１５の位置）となったとき、即ち、第１の付勢位置から第２の付勢位置の最終位置まで変位したときに、係止凸部６４からの装着部７２への抗力がなくなるため、図１６に示すように、第１の付勢状態にある第１の付勢部６５からの第１の付勢力により（正確には前記上向きベクトルにより）、装着部７２の係合凹部７３が保持部材６０の係止凸部６４に向かう方向に付勢移動されて係止凸部６４に係止される。更に、係合凸部６４が、第１の付勢部６５の第１の付勢力のうちの上向ベクトルにより、当該係止凹部７３に対して当該係止状態を維持する方向に継続的に弾性的に付勢されることで、即ち、第１の付勢部６５の弾性的付勢力が継続されることで、係合凹部７３と係止凸部６４とが第２の付勢部６７の第２の付勢力に抗してその係止状態を維持する。このようにして、脚連結具７０の装着部７２を脚５０の保持部材６０に位置決めして軽い力で挿入するだけで脚５０に対してワンタッチ装着することができ、かつ、装着後は確実に抜止して定位置に安定的に保持することができる。なお、図１６の状態では、第１の付勢部６５の第１の付勢力の上向きベクトルは、装着部７２の上面（平坦面）と保持部材６０の上側部６２との当接による抗力と均衡し、かつ、第２の付勢部６７の第２の付勢力（後向きベクトル）は、装着部７２の係合凹部７３の前壁面と保持部材６０の係止凸部６４の内側面との当接による抗力と均衡する。また、このとき、第１の付勢部６５の接線角度は、第１の付勢部６５が最も装着部７２の傾斜面７４により下方に弾性変形された最弾性変形状態にあるため、傾斜面７４の傾斜角度とほぼ同一の角度となる。
【００３５】
また、脚連結具７０の装着部７２を脚５０の保持部材６０に完全に装着した状態では、図２（ａ）に示すように、第２の付勢部６７の第２の付勢力により、装着部７２が後方に押し戻されて、係合凹部７３の前壁面が係止凸部６４の内側面（後側面）と当接するため、係合凹部７３の前後寸法（前後幅）が係止凸部６４の前後寸法（厚み）より大きい場合、係合凹部７３の後側の一部が保持部材６０の外側面（係止凸部６４の前側面）から外部に露出して、その露出部分が大きくなると外部から視認しやすくなる。この場合でも、当該露出部分は微小であるため、特に提灯の美観に影響を与えることはない。また、装着部７２の係合凹部７３の前後幅を保持部材６０の係止凸部６４より大きくすれば、装着部７２を保持部材６０に挿入して係止するときの遊び乃至寸法許容幅を確保することができ、その装着作業が容易になるという利点がある。しかし、装着部７２の係合凹部７３の露出による美観への影響を考慮する必要がある場合は、係合凹部７３の前後幅と保持部材６０の係止凸部６４の厚みとの寸法の相違はできるだけ小さくすることが好ましい。なお、この場合、基台２０への脚５０の取付部に、脚５０を内方（前記取付後の３本の脚が配置される仮想的な円形の中心に向かう方向）に弾性的に付勢する脚付勢手段を設け、その弾性力を、前記保持部材６０の第２の付勢部６７による第２の付勢力より所定力だけ大きい値に設定することにより、第２の付勢力に抗して、脚５０の保持部材６０を装着後の装着部７２の係合凹部７３の後壁面に対して押し戻し、図２（ｂ）に示すように、係合凹部７３の後側面に保持部材６０の外側面を密接させて、それらの間の隙間をなくすことができる。この場合の脚付勢手段は、例えば、基台２０における脚の上端取付部用の嵌合孔（嵌合凹部）と脚の上端取付部（嵌合凸部）との間に弾性体を設け、基台２０への脚５０の取付状態で弾性体により脚５０を図２（ｂ）の位置まで付勢するよう前記弾性体の構成（弾性力及び弾性的付勢方向）を設定することができる。
【００３６】
これに対し、上記のようにして取り付けた脚連結具７０を脚５０から取り外す場合、図１７に示すように、第１の付勢部６５による第１の付勢力の上向きベクトルに抗して、作業者が、装着部７２の係合凹部７３を保持部材６０の係止凸部６４から離脱乃至離間する下向き方向に押し下げて変位させ、係止凸部６４から完全に離脱させる。即ち、装着部７２の係合凹部７３の上端を係止凸部６４の下端より下方に変位させる。これにより、図１８に示すように、係止凸部６４による抗力が消滅し、第２の付勢部６７が、第２の付勢力の後ろ向きベクトルにより、装着部７２を保持部材６０の収容部から前記開口を経て離脱する方向（引き抜き方向）に弾性的に付勢して、装着部７２を少なくとも前記第１の当接位置まで変位させる。このとき、第１の付勢部６５の第１の付勢力のうち、ある程度の後ろ向きベクトルが装着部７２の傾斜面７４に働き、装着部７２の後方移動を補助する。なお、第１の当接位置にある装着部７２は、作業者が特にそれ以上後方に移動しなくても、その傾斜面７４が（重力等により）第１の付勢部６５の後方へ傾斜する湾曲状の外面上を摺動し、また、前記第１の付勢部６５の後ろ向きベクトルによってもある程度後方に付勢されるため、保持部材６０の収容部から自動的に離脱する。即ち、実施の形態１では、装着部７２の傾斜面７４の傾斜角度は、非弾性変形状態の第１の付勢部６５の接線角度よりも所定角度だけ小さい角度に設定されているため、装着部７２の傾斜面７４を介して、第１の付勢部６５から装着部７２に対して２つのベクトル、即ち、上向きベクトルだけはなく後ろ向きベクトルも発生する。このようにして、脚連結具７０の装着部７２を脚５０の保持部材６０から若干下方に軽い力で押し下げるだけで、装着部７２の保持部材６０からの引き抜きが自動的に完了し、脚連結具７０を脚５０からワンタッチで取り外すことができる。
【００３７】
［本発明の各部材の変更可能性］
上記のように、保持部材６０の係止凸部６４は、装着部７２の係合凹部７３の凹部形状と対応する凸部形状（係合凹部７３に嵌合して係止自在な任意の凸部形状）とすることができる。また、保持部材６０の係止凸部６４は、保持部材６０の収容部の奥行き方向において、装着部７２を保持部材６０の収容部に第２の付勢位置範囲の最終位置まで挿入したときに装着部７２の係合凹部７３と合致する位置に配置すればよく、実施の形態１のように保持部材６０の開口位置に配置する以外にも、開口よりある程度奥側の位置に配置することもできる。こうすると、図２（ａ）に示すように装着後の装着部７２の係合凹部７３の一部（外側部分）が保持部材の係止凸部の外側で露出する場合でもその露出部分が外部から視認できなくなり、係合凹部７３の前後幅を相当程度大きくしても美観を損なう恐れを防止することができる。また、前記装着部７２の完全挿入状態でも、第２の付勢部６７が更に後方へと（収容部の最奥部端まで）所定寸法だけ弾性変形できるよう（ある程度の余裕を持たせるよう）、装着部７２の最挿入位置（第２の付勢位置の最終位置）で装着部７２の先端面と保持部材６０の最奥部（基部６１の内側面）との間にある程度の間隙が残されるようそれらの寸法が設定されているが、装着部７２の最挿入位置で装着部７２の先端面と保持部材６０の基部６１の内側面とがほぼ当接するようにしてもよい。更に、係止凸部６４は、保持部材６０の収容部の奥行き方向において装着部７２の係合凹部７３と合致する位置に配置されると共に、装着部７２において係合凹部７３を設ける面（上面）に対応する保持部材６０の上側に配置される。しかし、装着部７２の係合凹部を上面側以外の部位（下面側、右側面側、左側面側等）に設けることもでき、この場合、保持部材６０の係止凸部も、その部位に対向する部位（保持部材の開口部の下側、右側、左側等）に設けることになる。
【００３８】
また、実施の形態１の付勢手段は、保持部材６０の収容部における開口側（または、開口に近い側、即ち、最奥部よりも手前側）であって前記係止凸部６４と対向する側（係止凸部６４が上側に設けられるため下側）に配設される第１の付勢部６５と、収容部における奥部側（開口より遠い側であって最奥部）に設けられる第２の付勢部６７とからなるが、上記第１の付勢力及び第２の付勢力を発揮することができる限りにおいて、単一の付勢部材から構成する等、これ以外の構成とすることができる。また、第１の付勢部６５は、収容部において、第１の当接位置における装着部７２と当接する位置である非弾性変形位置から、装着部７２と当接して係止凸部６４から離間する方向へと弾性変形自在なリップ状をなすが、上記第１の付勢力を発揮できる限りにおいて、これ以外の構成とすることができる。また、第２の付勢部は、前記第２の当接位置における前記装着部と当接する位置である非変形位置から、前記装着部と当接して前記収容部の最奥部へと向かう方向へと弾性変形自在なリップ状をなすが、上記第２の付勢力を発揮できる限りにおいて、これ以外の構成とすることができる。
【００３９】
実施の形態２
図１９に示すように、本発明の実施の形態２は、脚連結具１７０の装着部１７２の構成において実施の形態１と異なる。詳細には、脚連結具１７０の装着部１７２は、実施の形態１の装着部７２のような傾斜面７４は備えておらず、装着部１７２の下面は全体として単なる平坦面（上面と平行な下面）となっている。本実施の形態の脚連結具１７０の場合も、実施の形態１とほぼ同様の作用効果を発揮する。
【００４０】
実施の形態３
図２０及び図２１に示すように、本発明の実施の形態３は、被装着部としての保持部材１６０の構成において実施の形態１と異なる。詳細には、保持部材１６０は、実施の形態１の保持部材６０の上下に前記補助部材５６と同様の補助部１６１及び補助部１６２を一体形成した全体形状を有している。よって、脚５０の収容凹部の形状も、図示はしないが、実施の形態１の収容凹部５５に上下の半円形筒状の凹部を一体化した略トラック形状の凹部（前記凹部５７と同様の形状）となる。本実施の形態の保持部材１６０の場合も、実施の形態１とほぼ同様の作用効果を発揮する。
【００４１】
実施の形態４（別例１）
図２２に示すように、本発明の実施の形態４の別例１は、脚連結具２７０の連結部２７１の構成において実施の形態１と異なる。詳細には、脚連結具２７０の連結部２７１は、実施の形態１のように３本の棒状の連結部７１を略三角形に組み合わせたものではなく、１本の円環状の棒状体からなる。そして、かかる連結部２７１の外周側に、前記３個の装着部７２の基端が一定角度間隔（１２０度間隔）を置いて固定されている。即ち、通常の提灯の脚連結具は、実施の形態１の脚連結具７０のように全体として三角形状をなすものであるが、本発明を具体化する上で、脚連結具の構成はこれに限られるものではない。本実施の形態の脚連結具２７０の場合も、実施の形態１とほぼ同様の作用効果を発揮する。
【００４２】
実施の形態４（別例２）
図２３（ａ）に示すように、本発明の実施の形態４の別例２は、脚連結具３７０の装着部３７２の構成において実施の形態１と異なる。詳細には、脚連結具３７０の装着部３７２は、実施の形態１の装着部７２のように上面にのみ係合凹部７３を設け、これと反対側の下面にのみ傾斜面７４を設けたものではなく、その上下両面に同一構成の係合凹部７３を設けると共に、係合凹部７３の先端側に、それぞれ、同一構成の傾斜面７４を設けている。本実施の形態の脚連結具３７０の場合も、実施の形態１とほぼ同様の作用効果を発揮することに加え、実施の形態１では脚連結具７０の係合凹部７３側を必ず上側にして保持部材６０の収容凹部に装着する必要があるのに対し、脚連結具の上面及び下面のいずれを上側にした場合でも、保持部材６０の収容凹部に挿入して装着することができるという効果を発揮する。
【００４３】
実施の形態４（別例３）
図２３（ｂ）に示すように、本発明の実施の形態４の別例３は、脚連結具４７０の装着部４７２の構成において実施の形態１と異なる。詳細には、脚連結具４７０の装着部４７２は、実施の形態１の装着部７２のように上面にのみ係合凹部７３を設けたものではなく、その上下両面に同一構成の係合凹部７２を設けている。一方、装着部４７２は、実施の形態１の装着部７２のような傾斜面７４は設けていない。本実施の形態の脚連結具４７０の場合も、傾斜面による効果を除き、実施の形態４の別例２と同様の作用効果を発揮する。
【００４４】
実施の形態４（別例４）
図２４（ａ）に示すように、本発明の実施の形態４の別例４は、脚連結具５７０の装着部５７２の構成において実施の形態１と異なる。詳細には、脚連結具５７０の装着部５７２は、実施の形態１の装着部７２のように上面に係合凹部７３を設けたものではなく、係合部として、その上面に係合凸部５７３を設けている。即ち、係合凸部５７３は、その最前進位置（最挿入位置）で、後側面が係止凸部６４の内側面に係止される。本実施の形態の脚連結具５７０の場合も、実施の形態１とほぼ同様の作用効果を発揮することに加え、装着部５７２の装着後に、係合凹部７３のように保持部材６０の外部に露出する部分が全くないため、美観低下という問題が発生する可能性はない。
【００４５】
実施の形態４（別例５）
図２４（ｂ）に示すように、本発明の実施の形態４の別例５は、脚連結具６７０の装着部６７２の構成において実施の形態１と異なる。詳細には、脚連結具６７０の装着部６７２は、実施の形態１の装着部７２のように保持部材６０の係止凸部６４よりも前後幅が大きくなる係合凹部７３を設けたものではなく、係合部として、その上面に係止凸部６４と同一の前後幅の係合凹部６７３を設けている。即ち、係合凹部６７３は、その最前進位置（最挿入位置）で、前側面及び後側面の両方が係止凸部６４の内側面及び外側面に当接し、項側面が係止凸部６４の内側面に係止される。本実施の形態の脚連結具６７０の場合も、実施の形態１とほぼ同様の作用効果を発揮することに加え、装着部６７２の装着後に、係合凹部７３のように保持部材６０の外部に露出する部分が全くないため、美観低下という問題が発生する可能性はない。
【００４６】
実施の形態５（別例１）
図２５（ａ）に示すように、本発明の実施の形態５の別例１は、被装着部としての保持部材７６０の構成において実施の形態１と異なる。詳細には、保持部材７６０は、実施の形態１の保持部材６０の第２の付勢部６７を省略し、第１の付勢部６５のみによって前記第１の付勢力及び第２の付勢力を発揮するように構成している。これに伴い、特に、第１の付勢部６５のみによって前記第２の付勢力を十分に発揮できるよう、図２５（ａ）中に仮想線で示すように、装着部７２の傾斜面７４の傾斜角度を実施の形態１の場合よりも大きくすることが好ましい。例えば、装着部７２の傾斜面７４の傾斜角度を約３０度〜約４５度の範囲とする。こうすると、第１の付勢部６５の付勢力が、装着部７２の傾斜面７４に対してより外方（装着部７２を収容部から押し出す方向）に傾斜することになる。好ましくは、装着部７２の傾斜面７４の傾斜角度を約４０度〜約４５度の範囲として、第１の付勢部６５の付勢力のベクトルが、装着部７２の傾斜面７４に対して約４０度〜約４５度の範囲となるようにする。こうすると、装着部７２の保持部材７６０への装着状態でも、装着部７２の傾斜面７４に対して、第１の付勢部６５の付勢力を分解した上向きベクトの他に後ろ向きベクトルを十分かつほぼ均等な値で付与することになり、装着部７２の係合凹部７３を保持部材７６０の係止凸部６４に確実かつ安定的に弾性的に継続付勢して保持することができ、かつ、装着部７２の押し下げによる保持部材７６０からの引き抜き時に、第１の付勢部６５の後ろ向きベクトルにより、装着部７２を確実かつ円滑に保持部材７６０から離脱することができる。この場合、第１の付勢部６５の当接面が装着部７２の傾斜面７４に対して円滑に摺動するようにすれば（例えば、それらの面を摩擦抵抗の少ない面とすれば）、滑り方向の力によっても装着部７２をより効果的に保持部材７６０から押し出すことができる。本実施の形態の保持部材７６０は、これ以外の場合についても、実施の形態１とほぼ同様の作用効果を発揮する。
【００４７】
実施の形態５（別例２）
図２５（ｂ）に示すように、本発明の実施の形態５の別例２は、被装着部としての保持部材８６０の構成において実施の形態１と異なる。詳細には、保持部材８６０は、実施の形態１の保持部材６０の第１の付勢部６５を省略し、第２の付勢部６７のみによって前記第１の付勢力及び第２の付勢力を発揮するように構成している。これに伴い、特に、第２の付勢部６７のみによって前記第１の付勢力を十分に発揮できるよう、装着部７２の先端面に下方に向かって外方へと傾斜する角度を設けることが好ましい。例えば、図２５（ｂ）中に仮想線で示すよう、装着部７２の傾斜面７４の角度を実施の形態１の場合よりも大幅に大きくして、傾斜面の上端から装着部７２の上面に交差するよう、即ち、装着部７２の先端面を構成するように構成することが好ましい。この装着部７２の傾斜面７４の傾斜角度は、例えば、上面からみて約３０度〜約４５度の範囲とする。こうすると、第２の付勢部６７の付勢力が、装着部７２の先端面または傾斜面７４に対して上方に傾斜することになる。好ましくは、装着部７２の先端面または傾斜面７４の傾斜角度を約４０度〜約４５度の範囲として、第２の付勢部６７の付勢力のベクトルが、装着部７２の先端面または傾斜面７４に対して約４０度〜約４５度の範囲となるようにする。こうすると、装着部７２の保持部材８６０への装着状態でも、装着部７２の先端面または傾斜面７４に対して、第２の付勢部６７の付勢力を分解した後ろ向きベクトルの他に上向きベクトを十分かつほぼ均等な値で付与することになり、装着部７２の係合凹部７３を保持部材８６０の係止凸部６４に確実かつ安定的に弾性的に継続付勢して保持することができ、かつ、装着部７２の押し下げによる保持部材８６０からの引き抜き時に、第２の付勢部６７の後ろ向きベクトルにより、装着部７２を確実かつ円滑に保持部材８６０から離脱することができる。本実施の形態の保持部材８６０は、これ以外の場合についても、実施の形態１とほぼ同様の作用効果を発揮する。
【００４８】
実施の形態６
図２６に示すように、本発明の実施の形態６は、実施の形態１の装着部７２及び保持部材６０の配置態様を１８０度反転した（反対方向にした）ものである。即ち、装着部７２の係合凹部７３は下面側に設けられ、傾斜面７４は上面側に設けられると共に、保持部材６０の係止凸部６４及び第２の付勢部６７は下側に、第１の付勢部６５は上側に設けられている。本実施の形態も、実施の形態１とほぼ同様の作用効果を発揮する。
【００４９】
［本発明の範囲］
上記のように、本発明の係合部は装着部の下側に設けることもできるが、この場合、保持部材の係止部は、これに対応して下側に設ける。この場合、装着部の係合部が重力によって保持部材の係止部に嵌合すると共に、第１の付勢部によっても下方に押圧される。また、この場合、第１の付勢部は、係止部と反対側である収容部の上側に設ける。更に、第２の付勢部は、保持部材の基部の内側面中央から係止部に向かって傾斜するリップ状とすることもできる。即ち、第２の付勢部は、係止部を上方に設ける場合及び下方に設ける場合のいずれの場合も、下方に向かって傾斜するリップ状としてもよく、上方に向かって傾斜するリップ状としてもよい。
【００５０】
ところで、本発明の提灯の脚の本数は通常は３本であるが、複数本である限り、これ以外の本数として具体化することも無論可能である。この場合、脚連結具の装着部の本数乃至個数も、脚の本数と同一数となる。また、基台は、通常は、外形が円形となる円盤状であるが、盤状であり支柱及び脚の着脱自在な取付を可能とする限りにおいて、任意の形状とすることができる。更に、脚に対する脚連結具の取付位置（装着部の装着位置）は、通常、脚の長さ方向の中間部であるが、これ以外の位置に脚連結具を装着して複数本の脚を連結することもできる。また、保持部材は、別体形成して脚に内装するほか、脚に一体形成することもできる。更に、保持部材の収容部は、脚連結具の各装着部のうち少なくとも前記係合部に相当する部分を収容自在であればよい。即ち、上記第３の別例の脚連結具のように、係合凸部に相当する部分のみが収容部に収容される場合もある。また、係合部は係合凹部のほか係合凸部とすることもでき、係止部は、これに対応して、係止凸部のほか係止凹部とすることもできる。また、係止可能な限りにおいて、凹部形状及び凸部形状は任意の形状とすることができる。また、本発明の脚連結具の取付構造では、装着部の係合部は上記のように係合凹部や係合凸部とすることができるが、係合部は、装着部の基端側においてその幅方向または厚さ方向の一側に形成することができ、上面のみならず、下面、右側面、または左側面のいずれかに形成することができる。なお、基台２０に取り付けた状態の複数本の脚５０が上端から下端に向かって互いの間隔を広げるように延びるため、脚連結具の取付の容易性等の観点からは、上記各実施の形態及び各別例のように、係合部は装着部の上面または下面に形成することが好ましく、更に、図２６の別例を除く各実施の形態や別例に示すように、装着部の上面に形成することが好ましい。一方、被装着部は、脚とは別体で形成されて脚に内装される保持部材から構成されているが、上記実施例のものに限定するものではない。
【符号の説明】
【００５１】
１０：提灯  ２０：基台  ３０：支柱  ３５：柱連結具  ４０：火袋
５０：脚  ５５：収容凹部  ５６：補助部材  ５７：凹部  ６０：保持部材
６１：基部  ６１ａ：挿通孔  ６２：上側部  ６３：下側部  ６４：係止凸部
６５：第１の付勢部（付勢手段）  ６６：屈曲部  ６７：第２の付勢部（付勢手段）
７０：脚連結具  ７１：連結部  ７２：装着部  ７３：係合凹部  ７４：傾斜面
１６０：保持部材  １６１：補助部  １６２：補助部
１７０：脚連結具  １７２：装着部  ２７０：脚連結具  ２７１：連結部
３７０：脚連結具  ３７２：装着部  ４７０：脚連結具  ４７２：装着部
５７０：脚連結具  ５７２：装着部  ５７３：係合凸部
６７０：脚連結具  ６７２：装着部  ６７３：係合凹部
７６０：保持部材  ８６０：保持部材
【図１】
2011165470.tif 000003
【図２】
2011165470.tif 000004
【図３】
2011165470.tif 000005
【図４】
2011165470.tif 000006
【図５】
2011165470.tif 000007
【図６】
2011165470.tif 000008
【図７】
2011165470.tif 000009
【図８】
2011165470.tif 000010
【図９】
2011165470.tif 000011
【図１０】
2011165470.tif 000012
【図１１】
2011165470.tif 000013
【図１２】
2011165470.tif 000014
【図１３】
2011165470.tif 000015
【図１４】
2011165470.tif 000016
【図１５】
2011165470.tif 000017
【図１６】
2011165470.tif 000018
【図１７】
2011165470.tif 000019
【図１８】
2011165470.tif 000020
【図１９】
2011165470.tif 000021
【図２０】
2011165470.tif 000022
【図２１】
2011165470.tif 000023
【図２２】
2011165470.tif 000024
【図２３】
2011165470.tif 000025
【図２４】
2011165470.tif 000026
【図２５】
2011165470.tif 000027
【図２６】
2011165470.tif 000028